(57)【要約】【課題】バーナヘッド４の周面に、上下２段の炎孔が夫々周方向の間隔を存して多数設けられ、上段炎孔５Ｕと下段炎孔５Ｌとに各別の混合管６Ｕ，６Ｌから混合気を供給すると共に、下段炎孔の総面積を上段炎孔の総面積より小さくしたコンロ用バーナにおいて、大きな炎を生ずることなくスムーズな点火を行うことができるようにする。【解決手段】下段炎孔５Ｌへの点火を行う点火プラグ９と、点火プラグ９の配置位置とはバーナヘッド４の周方向反対側の位置で下段炎孔５Ｌの火炎を検知する火炎検知素子１０とを備える。バーナの点火操作時に、下段炎孔５Ｌのみに混合気を供給した状態で点火プラグ９により下段炎孔に点火し、火炎検知素子１０が火炎を検知したところで上段炎孔５Ｕへの混合気の供給を開始する。また、火炎検知素子１０が火炎を検知したときに、報知手段１８を作動させてから上段炎孔５Ｕへの混合気の供給を開始する。【選択図】図２
2008196785.tif 000002
【特許請求の範囲】
【請求項１】
バーナヘッドの周面に、上下２段の炎孔が夫々周方向の間隔を存して多数設けられ、上段炎孔と下段炎孔とに各別の経路で混合気を供給すると共に、下段炎孔の総面積を上段炎孔の総面積より小さくしたコンロ用バーナにおいて、
下段炎孔への点火を行う点火プラグと、点火プラグの配置位置とはバーナヘッドの周方向反対側の位置で下段炎孔の火炎を検知する火炎検知素子とを備え、
バーナの点火操作時に、下段炎孔のみに混合気を供給した状態で点火プラグにより下段炎孔に点火し、火炎検知素子が火炎を検知したところで上段炎孔への混合気の供給を開始することを特徴とするコンロ用バーナ。
【請求項２】
前記火炎検知素子が火炎を検知したときに、報知手段を作動させてから前記上段炎孔への混合気の供給を開始することを特徴とする請求項１記載のコンロ用バーナ。
【発明の詳細な説明】
【技術分野】
【０００１】
本発明は、強火からとろ火まで広範囲に火力調節が可能なコンロ用バーナに関する。
【背景技術】
【０００２】
従来、この種のコンロ用バーナとして、バーナヘッドの周面に、上下２段の炎孔が夫々周方向の間隔を存して多数設けられ、上段炎孔と下段炎孔とに各別の経路で混合気を供給すると共に、下段炎孔の総面積を上段炎孔の総面積より小さくしたものが知られている（例えば、特許文献１参照）。このバーナによれば、上段炎孔と下段炎孔との両者で燃焼させる強火状態から下段炎孔のみで燃焼させるとろ火状態まで火力を広範囲に可変することができる。
【０００３】
また、このバーナでは、下段炎孔への点火を行う点火プラグに隣接して下段炎孔の火炎を検知する火炎検知素子たる熱電対を配置している。そして、バーナの点火操作時に、上段炎孔と下段炎孔との両者に混合気を供給した状態で点火プラグにより下段炎孔に点火し、下段炎孔から上段炎孔に火移り点火させるようにしている。また、上段炎孔と下段炎孔とに共通の燃料ガス通路に介設した電磁安全弁を熱電対の起電力で開弁保持し、失火時に電磁安全弁が閉じられるようにしている。
【０００４】
ところで、点火操作時には、各炎孔用の混合気供給経路からの空気の押し出し（エアパージ）が完了するまで各炎孔から燃焼可能な濃度の混合気が噴出しない。ここで、下段炎孔は上段炎孔より総面積が小さく、且つ、混合気の供給量が少ないため、下段炎孔用の混合気供給経路のエアパージに要する時間は上段炎孔用の混合気供給経路のエアパージに要する時間より長くなり勝ちである。従って、下段炎孔から燃焼可能な濃度の混合気が噴出してこれに点火される前に、上段炎孔から燃焼可能な濃度の混合気が噴出されてしまうことがある。その結果、下段炎孔への点火時にそれまで上段炎孔から噴出されていた混合気に引火して大きな炎を生じ、使用者を驚かせてしまうことがある。
【特許文献１】特開平９−３０３７１９号公報
【発明の開示】
【発明が解決しようとする課題】
【０００５】
本発明は、以上の点に鑑み、上下２段の炎孔を有するにも拘わらず、大きな炎を生ずることなくスムーズな点火を行うことができるようにしたコンロ用バーナを提供することをその課題としている。
【課題を解決するための手段】
【０００６】
本発明は、バーナヘッドの周面に、上下２段の炎孔が夫々周方向の間隔を存して多数設けられ、上段炎孔と下段炎孔とに各別の経路で混合気を供給すると共に、下段炎孔の総面積を上段炎孔の総面積より小さくしたコンロ用バーナにおいて、上記課題を解決するために、下段炎孔への点火を行う点火プラグと、点火プラグの配置位置とはバーナヘッドの周方向反対側の位置で下段炎孔の火炎を検知する火炎検知素子とを備え、バーナの点火操作時に、下段炎孔のみに混合気を供給した状態で点火プラグにより下段炎孔に点火し、火炎検知素子が火炎を検知したところで上段炎孔への混合気の供給を開始することを特徴とする。
【０００７】
本発明によれば、下段炎孔用の混合気供給経路からのエアパージに時間がかかっても、上段炎孔に混合気を供給しない状態で下段炎孔への点火が行われるため、点火時に大きな炎を生ずることはない。また、火炎検知素子は点火プラグの配置位置とはバーナヘッドの周方向反対側に位置するため、火炎検知素子が火炎を検知するときにはバーナヘッドのほぼ全周の下段炎孔に火移りした状態になる。そして、この状態で上段炎孔への混合気の供給が開始されるため、バーナヘッドの全周に亘り下段炎孔から上段炎孔へのスムーズな火移りが行われる。
【０００８】
また、本発明においては、火炎検知素子が火炎を検知したときに、報知手段を作動させてから上段炎孔への混合気の供給を開始することが望ましい。これによれば、上段炎孔への火移りで急に強火状態になっても、使用者は報知手段の作動で強火状態になることを予め知ることができる。従って、強火状態への急な変化で使用者を驚かせることはない。
【発明を実施するための最良の形態】
【０００９】
図１を参照して、１はコンロ本体、２はコンロ本体１の上面を覆う天板、３はコンロ用バーナを示している。天板２にはバーナ用開口２ａが開設されている。また、天板２上には、バーナ用開口２ａを囲うようにして図示省略した五徳が載置される。そして、五徳に載置する調理容器がバーナ３で加熱される。
【００１０】
バーナ３は天板２上に露出するバーナヘッド４を備えている。バーナヘッド４の周面には、図２に示す如く、上下２段の炎孔５Ｕ，５Ｌが夫々周方向の間隔を存して多数設けられている。ここで、五徳の複数の五徳爪に合致する周方向複数箇所には、五徳爪に火炎が触れて不完全燃焼することを防止するため、上段炎孔５Ｕが設けられていない。従って、下段炎孔５Ｌの個数は上段炎孔５Ｕの個数より若干多くなる。但し、各下段炎孔５Ｌの面積は各上段炎孔５Ｕの面積より遥かに小さく、そのため、下段炎孔５Ｌの総面積は上段炎孔５Ｕの総面積より小さくなる。また、上段炎孔５Ｕと下段炎孔５Ｌには後述するように各別の経路を介して混合気が供給される。
【００１１】
バーナ３は、更に、コンロ本体１内に設置される混合管ユニット６を備える。混合管ユニット６には上段炎孔５Ｕ用の第１混合管６Ｕと下段炎孔５Ｌ用の第２混合管６Ｌとが並設されている。そして、第１と第２の各混合管６Ｕ，６Ｌの上流端に臨ませて配置した第１と第２の各ノズル７Ｕ，７Ｌから噴出される燃料ガスと一次空気との混合気が各混合管６Ｕ，６Ｌ内で生成されるようにしている。
【００１２】
混合管ユニット６には、更に、天板２のバーナ用開口２ａ内に向けて立ち上がる内外３重の筒部６１，６２，６３が設けられている。第１混合管６Ｕからの混合気は内筒部６１と中間筒部６２との間の空間に供給され、第２混合管６Ｌからの混合気は中間筒部６２と外筒部６３との間の空間に供給される。
【００１３】
上記バーナヘッド４は、内筒部６１に嵌合する内周の筒部４１ａを有する環状の上ヘッド部材４１と、中間筒部６２に嵌合する内周の筒部４２ａを有する環状の中間ヘッド部材４２と、外筒部６３の上端に結合される筒状の下ヘッド部材４３との上下３部材で構成されている。中間ヘッド部材４２の上面外周部には、上ヘッド部材４１が着座する環状突起が立設され、この突起に上部炎孔５Ｕとなる溝が形成されている。また、中間ヘッド部材４２の下面外周部には、下ヘッド部材４３の上端部に着座する環状突起が垂設され、この突起に下部炎孔５Ｌとなる溝が形成されている。
【００１４】
かくして、第１混合管６Ｕ、内筒部６１と中間筒部６２との間の空間及び上ヘッド部材４１と中間ヘッド部材４２との間の空間で上部炎孔５Ｕ用の混合気供給経路が構成される。また、第２混合管６Ｌ、中間筒部６２と外筒部６３との間の空間及び中間ヘッド部材４２と下ヘッド部材４３との間の空間で下段炎孔５Ｌ用の混合気供給経路が構成される。
【００１５】
尚、下ヘッド部材４３には、その上端部外周から下方にのびるスカート部４３ａが設けられている。そして、スカート部４３ａに、天板２のバーナ用開口２ａを覆うカバーリング８を外挿し、バーナ用開口２ａからの煮こぼれ汁の侵入をカバーリング８により防止できるようにしている。
【００１６】
バーナ３には、下段炎孔５Ｌへの点火を行う点火プラグ９と、点火プラグ９の配置位置とはバーナヘッド４の周方向反対側の位置で下段炎孔５Ｌの火炎を検知する熱電対から成る火炎検知素子１０とが付設されている。尚、火炎検知素子１０は点火プラグ９の配置位置から周方向に１８０°離れた位置に配置されることが望ましいが、本実施形態では混合管ユニット６との干渉回避のため、点火プラグ９と熱電対１０との間の周方向間隔をやむを得ず１８０°より狭くしている。また、中間ヘッド部材４２には、点火プラグ９に対向するターゲット部４２ｂが設けられている。バーナ３には、更に、バーナヘッド４で囲われるバーナ内周空間に位置させて、調理容器の温度を検出する鍋底温度センサ１１が付設されている。
【００１７】
図２を参照して、バーナ３用の燃料ガス供給路１２には、電磁安全弁１３とその下流側の主弁１４とが介設されている。燃料ガス供給路１２は、主弁１４の下流側で、第１混合管６Ｕに臨ませた第１ノズル７Ｕに接続される第１分岐路１２Ｕと、第２混合管６Ｌに臨ませた第２ノズル７Ｌに接続される第２分岐路１２Ｌとに分岐される。第１と第２の各分岐路１２Ｕ，１２Ｌには流量調節弁１５Ｕ，１５Ｌが介設され、第１分岐路１２Ｕには更に電磁開閉弁１６が介設されている。
【００１８】
主弁１４は図示省略した公知の操作ボタンの操作で開閉される。また、流量調節弁１５Ｕ，１５Ｌは図示省略した火力調節レバーで操作される。そして、火力調節レバーにより第１分岐路１２Ｕに介設した第１流量調節弁１５Ｕを介して上段炎孔５Ｕの燃焼量が強火から消火まで調節されると共に、第２分岐路１２Ｌに介設した第２流量調節弁１５Ｌを介して下段炎孔５Ｌの燃焼量が弱火からとろ火まで調節される。
【００１９】
電磁安全弁１３と電磁開閉弁１６は火炎検知素子１０の出力信号を入力する制御器１７により制御される。また、制御器１７により制御されるブザーから成る報知手段１８が設けられている。
【００２０】
次に、図３を参照して、操作ボタンの操作による点火時の作動について説明する。尚、操作ボタンは、消火位置から点火位置まで押し込み自在であり、点火位置で押圧を解くと点火位置の若干手前の燃焼位置に復動してこの位置に係止され、燃焼位置で再度押し操作すると消火位置に復帰する。
【００２１】
操作ボタンを点火位置まで押し操作すると（時刻ｔ１）、電磁安全弁１３が押圧開弁されると共に主弁１４が開弁され、更に、点火スイッチが閉成されて点火プラグ９での火花放電が行われる。一方、電磁開閉弁１６は閉弁されたままである。従って、点火操作時には下段炎孔５Ｌのみに混合気が供給される。そして、下段炎孔５Ｌ用の混合気供給経路からのエアパージに時間がかかっても、上段炎孔５Ｕに混合気を供給しない状態で下段炎孔５Ｌへの点火が行われるため、点火時に大きな炎を生ずることはない。
【００２２】
点火後、操作ボタンを燃焼位置に復動させるが（時刻ｔ２）、主弁１４は燃焼位置においても開弁状態に維持される。一方、操作ボタンの燃焼位置への復動により点火プラグ９での火花放電が停止されると共に、電磁安全弁１３の押圧が解除される。但し、電磁安全弁１３は制御器１７により所定のホールド時間だけ強制的に通電されて開弁状態に保持される。そして、このホールド時間中に火炎検知素子１０に臨む下段炎孔５Ｌまで火移りして、火炎検知素子１０が火炎を検知すると（時刻ｔ３）、以後火炎検知素子１０からの検知信号の出力で電磁安全弁１３は開弁状態に保持される。また、火炎検知素子１０から検知信号が出力されると、制御器１７により報知手段１８が所定時間作動される。そして、報知手段１８の作動中又は作動完了後に電磁開閉弁１６が開弁される（時刻ｔ４）。これにより、上段炎孔５Ｕへの混合気の供給が開始される。
【００２３】
ここで、火炎検知素子１０は点火プラグ９の配置位置とはバーナヘッド４の周方向反対側に位置するため、火炎検知素子１０が火炎を検知するときにはバーナヘッド４のほぼ全周の下段炎孔５Ｌに火移りした状態になる。そして、この状態で上段炎孔５Ｕへの混合気の供給が開始されるため、バーナヘッド４の全周に亘り下段炎孔５Ｌから上段炎孔５Ｕへのスムーズな火移りが行われる。
【００２４】
また、上段炎孔５Ｕへの混合気の供給開始に先立って報知手段１８が作動される。そのため、上段炎孔５Ｕへの火移りで急に強火状態になっても、使用者は報知手段１８の作動で強火状態になることを予め知ることができる。従って、強火状態への急な変化で使用者を驚かせることはない。
【００２５】
以上、本発明の実施形態について図面を参照して説明したが、本発明はこれに限定されない。例えば、上記実施形態では、各下段炎孔５Ｌの面積を各上段炎孔５Ｕの面積より小さくしたが、バーナヘッド４の周方向に細長くのびる、上段炎孔５Ｕより面積の大きな下段炎孔を設けることも可能である。この場合、下段炎孔の個数を上段炎孔の個数より少なくして、下段炎孔の総面積が上段炎孔の総面積より小さくなるようにする。また、上記実施形態では、火炎検知素子１０として熱電対を用いたが、フレームロッドを用いても良い。更に、上記実施形態では、報知手段１８としてブザーを用いたが、上段炎孔５Ｕへの混合気の供給を開始する旨を音声で報知するものやランプ等で視覚的に報知するものを用いることも可能である。
【図面の簡単な説明】
【００２６】
【図１】本発明の実施形態のバーナの断面図。
【図２】実施形態のバーナの斜視図。
【図３】実施形態のバーナの点火時の作動を示すタイムチャート。
【符号の説明】
【００２７】
３…コンロ用バーナ、４…バーナヘッド、５Ｕ…上段炎孔、５Ｌ…下段炎孔、６Ｕ…上段炎孔用混合管、６Ｌ…下段炎孔用混合管、９…点火プラグ、１０…火炎検知素子、１８…報知手段。
【図１】
2008196785.tif 000003
【図２】
2008196785.tif 000004
【図３】
2008196785.tif 000005